(57)【要約】【課題】暖房サイクル運転の立ち上がり時間を短縮するとともに、暖房が要求された部屋の温度が冷風によって低下することを防止する。【解決手段】部屋４Ａを暖房するための暖房サイクル運転を開始する際、室内熱交換器の温度が４０℃より低いときは、部屋４Ａのダクト２Ａのダンパ３Ａを閉じるとともに、暖房しない部屋４Ｂのダクト２Ｂのダンパ３Ｂを開く。【選択図】図２
2013204837.tif 000002
【特許請求の範囲】
【請求項１】
室外熱交換器を備えた室外機と、前記室外熱交換器に接続された室内熱交換器と該室内熱交換器の温度を検出する第１の温度センサと送風機とコントローラとを備えた室内機と、複数の部屋にそれぞれ設けられた吹出口と前記室内機とを接続するダクトとを備え、前記ダクトの途中に通路開閉用のダンパが設けられた空気調和機において、
前記複数の部屋のうち、暖房する部屋と暖房しない部屋が存在した状態で、前記コントローラの制御により、暖房サイクル運転を開始する際、前記第１の温度センサで検出された前記室内熱交換器の温度が第１の所定温度未満のときは、前記暖房する部屋に接続された前記ダクトの前記ダンパを閉じるとともに前記暖房しない部屋へ接続された前記ダクトの前記ダンパを開き、
前記室内熱交換器の温度が前記第１の所定温度以上になると、前記暖房する部屋に接続された前記ダクトの前記ダンパを開くとともに前記暖房をしない部屋に接続された前記ダクトの前記ダンパを閉じることを特徴とする空気調和機。
【請求項２】
請求項１に記載の空気調和機において、
部屋に設けられた吹出口と前記室内機を接続するダンパを備えないダクトをさらに備えたことを特徴とする空気調和機。
【請求項３】
室外熱交換器と該室外熱交換器の温度を検出する第２の温度センサを備えた室外機と、前記室外熱交換器に接続された室内熱交換器と送風機とコントローラとを備えた室内機と、複数の部屋にそれぞれ設けられた吹出口と前記室内機とを接続するダクトを備え、前記ダクトの途中に通路開閉用のダンパが設けられた空気調和機において、
前記複数の部屋のうち、暖房する部屋と暖房しない部屋が存在した状態で、前記コントローラの制御により、前記第２の温度センサで検出された温度が第２の所定温度未満になって除霜のために前記空気調和機を冷房サイクルで運転する際は、前記暖房する部屋に接続された前記ダクトの前記ダンパを閉じるとともに前記暖房をしない部屋に接続された前記ダクトの前記ダンパを開き、
前記第２の温度センサで検出された温度が前記第２の所定温度以上になって除霜運転が終了した後、暖房する部屋に接続された前記ダクトの前記ダンパを開くとともに暖房しない部屋に接続された前記ダクトの前記ダンパ閉じることを特徴とする空気調和機。
【請求項４】
請求項３に記載の空気調和機において、
部屋に設けられた吹出口と前記室内機を接続するダンパを備えないダクトをさらに備えたことを特徴とする空気調和機。
【発明の詳細な説明】
【技術分野】
【０００１】
本発明は、室外機と共働する室内機で生成された空調用空気をダクトによって複数の部屋に分配供給するダクト型の空気調和機に関する。
【背景技術】
【０００２】
従来から、室外機の圧縮機と室外熱交換器および室内機の室内熱交換器を冷媒用配管で接続して冷凍サイクルを構成し、室内熱交換器で熱交換された暖房用あるいは冷房用の空調用空気を、送風機によりダクトを介して複数の部屋に供給するダクト型の空気調和機がある（例えば、特許文献１参照）。
【０００３】
このような空気調和機では、空調する部屋がある場合は空調する部屋のダンパを開く。暖房が要求されると、暖房サイクル運転の立ち上がり時は室内熱交換器が冷たい状態であるため、送風機の運転を停止あるいは室温が検出できるだけの低速で運転し、圧縮機の運転を低速で運転することで冷風を空調する部屋に吹出さないようにしている。また、室外機熱交換器にできる霜を除去するリバース除霜運転では、冷房サイクル運転が行われるので、暖房されていた部屋に冷気を吹出されないように送風機の運転を停止あるいは室温が検出できるだけの低速で運転している。
【先行技術文献】
【特許文献】
【０００４】
【特許文献１】特開平６−５０５９８号公報
【発明の概要】
【発明が解決しようとする課題】
【０００５】
ところが、上記のように暖房サイクル運転やリバース除霜運転は、ダンパが開いているため、送風機が停止していても、一般的に吹出口は天井に設けられていることから、空調する部屋に冷気が吹き出される。低速で運転しても、ダンパが開いているため、空調する部屋に冷気が吹き出される。また、冷気吹出を防止するため、送風機の運転を停止あるいは低速で運転し圧縮機の運転を低速すると、暖房サイクル運転の立ち上がりに熱交換器の温度が上がりにくくなり、除霜運転に時間を要することになる。
【０００６】
本発明の目的は、暖房サイクル運転の立ち上がり時に冷気が空調する部屋に流れることを防止するとともに、暖房サイクル運転の立ち上がりを短時間とし、また、除霜運転時には霜の解ける速度を向上するとともに、暖房されていた部屋に冷気が吹出されまたは流れることを防止したダクト型の空気調和機を提供することである。
【課題を解決するための手段】
【０００７】
上記目的を達成するために、請求項１にかかる発明は、室外熱交換器を備えた室外機と、前記室外熱交換器に接続された室内熱交換器と該室内熱交換器の温度を検出する第１の温度センサと送風機とコントローラとを備えた室内機と、複数の部屋にそれぞれ設けられた吹出口と前記室内機とを接続するダクトとを備え、前記ダクトの途中に通路開閉用のダンパが設けられた空気調和機において、前記複数の部屋のうち、暖房する部屋と暖房しない部屋が存在した状態で、前記コントローラの制御により、暖房サイクル運転を開始する際、前記第１の温度センサで検出された前記室内熱交換器の温度が第１の所定温度未満のときは、前記暖房する部屋に接続された前記ダクトの前記ダンパを閉じるとともに前記暖房しない部屋へ接続された前記ダクトの前記ダンパを開き、前記室内熱交換器の温度が前記第１の所定温度以上になると、前記暖房する部屋に接続された前記ダクトの前記ダンパを開くとともに前記暖房をしない部屋に接続された前記ダクトの前記ダンパを閉じることを特徴とする。
請求項２にかかる発明は、請求項１に記載の空気調和機において、部屋に設けられた吹出口と前記室内機を接続するダンパを備えないダクトをさらに備えたことを特徴とする。
請求項３にかかる発明は、室外熱交換器と該室外熱交換器の温度を検出する第２の温度センサを備えた室外機と、前記室外熱交換器に接続された室内熱交換器と送風機とコントローラとを備えた室内機と、複数の部屋にそれぞれ設けられた吹出口と前記室内機とを接続するダクトを備え、前記ダクトの途中に通路開閉用のダンパが設けられた空気調和機において、前記複数の部屋のうち、暖房する部屋と暖房しない部屋が存在した状態で、前記コントローラの制御により、前記第２の温度センサで検出された温度が第２の所定温度未満になって除霜のために前記空気調和機を冷房サイクルで運転する際は、前記暖房する部屋に接続された前記ダクトの前記ダンパを閉じるとともに前記暖房をしない部屋に接続された前記ダクトの前記ダンパを開き、前記第２の温度センサで検出された温度が前記第２の所定温度以上になって除霜運転が終了した後、暖房する部屋に接続された前記ダクトの前記ダンパを開くとともに暖房しない部屋に接続された前記ダクトの前記ダンパ閉じることを特徴とする。
請求項４にかかる発明は、請求項３に記載の空気調和機において、部屋に設けられた吹出口と前記室内機を接続するダンパを備えないダクトをさらに備えたことを特徴とする。
【発明の効果】
【０００８】
請求項１にかかる発明によれば、暖房サイクル運転を開始する際、室内熱交換器の温度が第１の所定温度未満のときは、暖房する部屋に接続されたダクトのダンパを閉じるとともに暖房しない部屋へ接続されたダクトの前記ダンパを開くので、室外機の能力を高めた運転を実行することができ、暖房サイクル運転の立ち上がり時間を短縮できるとともに、暖房サイクル運転の立ち上がり時に冷気が空調する部屋に吹き出されることを防止できる。また、請求項２にかかる発明によれば、ダンパが設けられていないダクトが備えられた部屋を暖房サイクル運転の立ち上がり時に冷風を送る部屋として利用できる。また、請求項３にかかる発明によれば、室外熱交換器の温度が第２の所定温度度未満になって除霜運転で冷房サイクル運転をする際は、暖房する部屋に接続されたダクトのダンパを閉じるとともに暖房をしない部屋に接続されたダクトのダンパを開くので、室外機の能力を高めた運転を実行することができ、霜の解ける時間を短縮できるともに、暖房されていた部屋に冷気が吹出されるまたは吹き出されることを防止できる。また、請求項４にかかる発明によれば、ダンパが設けられていないダクトが備えられた部屋を、除霜のための冷房サイクル運転時に冷風を送る部屋として利用できる。
【図面の簡単な説明】
【０００９】
【図１】本発明の実施例の空気調和機の構成図である。
【図２】本発明の第１の実施例の暖房サイクル運転の立ち上がり時の空気調和機の制御のフローチャートである。
【図３】本発明の第２の実施例のリバース除霜時の空気調和機の制御のフローチャートである。
【発明を実施するための形態】
【００１０】
＜第１の実施例＞
図１に本発明の空気調和機の構成を示す。１は建造物の天井等に設置された空調用空気の送風分配器であり、室内機１０に備えられている。この室内機１０は、送風分配器１の他に、室内熱交換器と送風機とコントローラ１１と室内熱交換器の温度を検知する第１の温度センサ１２を備えている。そして、その室内熱交換器は室外機２０の室外熱交換器と冷媒用配管で接続され冷凍サイクルが構成されている。室外機２０には室外熱交換器の温度を検知する第２の温度センサ２１を備えている。送風分配器１は、室内機１０の送風機により送出される空調用空気（冷気又は暖気）をダクト２Ａ〜２Ｆにより部屋４Ａ〜４Ｆにそれぞれ供給する。ダクト２Ａ〜２Ｆには通路開閉用のダンパ３Ａ〜３Ｆが設けられている。コントローラ１１は室内機１０や室外機２０の運転制御、ダンパ３Ａ〜３Ｆの開閉制御等を行う。なお、送風分配器１は室内機１０に対してダクトで接続される場合もある。
【００１１】
図２に、第１の実施例の暖房サイクル運転の立ち上がり時の空気調和機の制御のフローチャートを示す。このフローチャートで表されるプログラムは、前記したコントローラ１１内のコンピュータのメモリに格納され、そのコンピュータによって実行される。
【００１２】
まず、現在、空気調和機が運転されていないときは、各ダンパ３Ａ〜３Ｆは閉じている。そして、部屋４Ａの暖房サイクル運転を行う場合には、その暖房サイクル運転の立ち上がり時間を短くするために補助的に使用する部屋を、部屋４Ａ以外の暖房しない部屋（通常人が居ないなど常には暖房が必要ない部屋、または一時的に暖房が途切れてもよい部屋等）のうちから、例えば部屋４Ｂを予め選択してコントローラ１１に設定しておく。次に、部屋４Ａに備えられた空調リモコンの暖房スイッチがオンされると、室内熱交換器の温度が第１の温度センサ１２で検出され、その温度が４０℃以上になっていて（Ｓ１−Ｙ）、さらにダンパ３Ｂが開いていれば（Ｓ２−Ｙ）そのダンパ３Ｂが閉じ（Ｓ３）ダンパ３Ａが開く（Ｓ４）。また、ダンパ３Ｂが閉じていれば（Ｓ２−Ｎ）そのダンパ３Ａが開く（Ｓ４）。これにより、室内熱交換器から送風される暖まった空気が、部屋４Ａに供給される。
【００１３】
しかし、室内熱交換器の温度が４０℃に達していないとき（Ｓ１−Ｎ）は、ダンパ３Ａが開いていれば（Ｓ５−Ｙ）そのダンパ３Ａが閉じ（Ｓ６）、ダンパ３Ｂが開く（Ｓ７）。また、ダンパ３Ａが閉じていれば（Ｓ５−Ｎ）ダンパ３Ｂが開く（Ｓ７）。このため、室内熱交換器から送風された暖まっていない冷たい空気は、暖房しない部屋４Ｂに供給され、部屋４Ａには供給されない。これは、室内熱交換器の温度が４０℃以上になるまで継続される。
【００１４】
このように、暖房サイクル運転の立ち上がり時に室内熱交換器の温度が低いときは、暖房する部屋用のダクトのダンパを閉じるとともに、暖房しない部屋用のダクトのダンパを開くので、冷たい送風は暖房しない部屋に供給され、室外機の能力を高めた運転ができ、暖房サイクル運転の立ち上がり性能を十分発揮でき、その時間を短縮できる。このとき、暖房が要求された部屋の室温が冷気によって低下することはない。
【００１５】
なお、暖房しない部屋については、室内熱交換器の温度が４０℃以上になれば、この実施例のように、効率上からはそのダンパを閉じた方が良いが、必ずしも閉じなくてもよい。また、暖房サイクル運転の立ち上がり時にダンパを開く補助的な部屋を２以上に設定すれば、その立ち上がり時間をより短縮することができる。さらに、ダンパの無いダクトが接続された部屋を設けておけば、部屋４Ａ〜４Ｆのすべてを同時に暖房する際に、そのダンパの無いダクトが接続された部屋が補助的な部屋として働き、そこに常時送風が行われ、暖房サイクル運転の立ち上がり性能を十分発揮できる。
【００１６】
＜第２の実施例＞
図３に、第２の実施例の除霜時の空気調和機の制御のフローチャートを示す。このフローチャートで表されるプログラムも、前記したコントローラ１１内のコンピュータのメモリに格納され、そのコンピュータによって実行される。
【００１７】
上記のようにして暖房サイクル運転が立ち上がり、部屋４Ａに暖かい空気が供給されているときに、外気により、室外熱交換器に霜が付着して第２の温度センサ２１で検出された室外熱交換器の温度が所定温度（例えば、０℃）以下になると、リバース除霜が開始する。これにより冷房サイクル運転が行われる（Ｓ１１−Ｙ）と、室外熱交換器が暖められる。このときはまだ、ダンパ３Ａが開いている（Ｓ１３-Ｙ）ので、そのダンパ３Ａが閉じられ（Ｓ１４）、暖房しない部屋４Ｂ用のダンパ３Ｂが開く（Ｓ１５）。また、ダンパ３Ａが閉じていれば（Ｓ１３−Ｎ）、ダンパ３Ｂが開く（Ｓ１５）。そして、この冷房サイクル運転による除霜が、室外熱交換器の温度（第２の温度センサ２１で検出）が前記した所定温度とは異なる別の所定温度（例えば、１０℃）以上になる（Ｓ１６−Ｙ）まで継続される。これにより、冷房サイクル運転によって室内熱交換器から送風される冷風は、部屋４Ａではなく部屋４Ｂに供給されるので、直前まで暖房されていた部屋４Ａの温度が冷風で低下することが防止される。
【００１８】
冷房サイクル運転が行われないとき（Ｓ１１−Ｎ）は、室内熱交換器の第１の温度センサ１２で検出された温度が４０℃以上になっていて（Ｓ１２）、ダンパ３Ｂが開いている（Ｓ１７−Ｙ）とき、そのダンパ３Ｂが閉じられ（Ｓ１８）ダンパ３Ａが開く（Ｓ１９）。また、また、ダンパ３Ｂが閉じていれば（Ｓ１７−Ｎ）、ダンパ３Ａが開く（Ｓ１９）。これにより、室内熱交換器から送風される暖まった空気が、部屋４Ａに供給される。
【００１９】
このように、リバース除霜運転が行われるときは、暖房している部屋用のダクトのダンパが閉じるとともに、暖房しない部屋用のダクトのダンパが開くので、暖房されている部屋に冷風が供給されることはなく、その室温が低下することはない。また冷風は暖房しない部屋に供給されるので、室外機の能力を高めた運転を行うことができ、霜の解ける時間を短縮することができる。
【００２０】
なお、暖房しない部屋については、室内熱交換器の温度が４０℃以上になれば、この実施例のように、効率上からはそのダンパを閉じた方が良いが、必ずしも閉じなくてもよい。また、除霜運転時にダンパを開く部屋を２以上にすれば、その除霜運転をより強力に行うことができる。また、ダンパの無いダクトが接続された部屋をさらに設けておけば、部屋４Ａ〜４Ｆのすべてを同時に暖房している際に、その部屋４Ａ〜４Ｆ用のダンパをすべて閉じても、ダンパの無いダクトが接続された部屋を補助的な部屋として、そこに除霜運転の冷気を送風することができる。また、除霜終了条件として、この実施例では第２の温度センサ２１で検知された温度が別の所定温度（例えば、１０℃）以上になることとしているが、タイマーを追加して、除霜開始から所定時間（例えば、１０分）が経過したときとしてもよい。
【符号の説明】
【００２１】
１０：室内機、１１：コントローラ、１２：第１の温度センサ、１：送風分配器、２Ａ〜２Ｆ：ダクト、３Ａ〜３Ｆ：ダンパ、４Ａ〜４Ｆ：部屋、２０：室外機、２１：第２の温度センサ
【図１】
2013204837.tif 000003
【図２】
2013204837.tif 000004
【図３】
2013204837.tif 000005